(57)【要約】本発明は、3ＧＰＰシステム（２０）と相互作用するＷＬＡＮを介してリアルタイムサービスを提供する際に、ＷＴＲＵ（１０）の状態を提供する方法およびシステムに関する。３ＧＰＰネットワーク内のＰＤＧ（２４）などの構成要素は、ＷＴＲＵの現在の状態を格納し保持し、それが変化するときＷＴＲＵの状態を更新する。ＷＴＲＵは、その状態の変化をＰＤＧへ信号送信する。ＰＤＧがＷＴＲＵへ向けられた３ＧＰＰシステムからメッセージを受け取ると、ＰＤＧはＷＴＲＵへメッセージを転送する前にＷＴＲＵの状態を検査する。
2008502214.tif 000002
【特許請求の範囲】
【請求項１】
３ＧＰＰシステムにおいて、前記３ＧＰＰシステムと相互作用するＩ−ＷＬＡＮと通信するＷＴＲＵの現在の状態を示す方法であって、
前記ＷＴＲＵおよびＰＤＧ間のトンネリングを確立することと、
前記ＷＴＲＵの状態を示すメッセージを前記ＷＴＲＵから前記ＰＤＧへ送ることと、
前記ＷＴＲＵの状態を前記ＰＤＧに格納することと
を備えたことを特徴とする方法。
【請求項２】
前記ＷＴＲＵが、異なる状態に変化し、異なる状態への前記変化を示す状態変化メッセージを前記ＰＤＧに送ることと、
前記ＰＤＧが、前記状態変化メッセージを受け取り、前記ＷＴＲＵの異なる状態を格納することと
をさらに備えたことを特徴とする請求項１に記載の方法。
【請求項３】
前記ＷＴＲＵの前記状態は、オン、オフ、および休止中のうちの１つであり、前記ＰＤＧはそれぞれ、ＷＴＲＵオン、ＷＴＲＵオフ、またはＷＴＲＵ休止中の対応する状態を格納することを特徴とする請求項２に記載の方法。
【請求項４】
前記ＷＴＲＵの電源が入ると、前記ＷＴＲＵが、前記ＷＴＲＵの状態がオンであることを示すメッセージを前記ＰＤＧへ送り、前記ＰＤＧが、前記ＷＴＲＵの前記状態をＷＴＲＵオンへ更新することを特徴とする請求項３に記載の方法。
【請求項５】
前記ＷＴＲＵは、前記ＷＴＲＵが電源ダウンすることを示すメッセージを前記ＰＤＧへ送り、
前記ＰＤＧは、前記ＷＴＲＵの前記状態をＷＴＲＵオフへ更新し、
前記ＷＴＲＵは、その状態をオフへ変える
ことを特徴とする請求項３に記載の方法。
【請求項６】
前記ＷＴＲＵは、前記ＷＴＲＵがその状態を休止中に変えることを示すメッセージを前記ＰＤＧへ送り、
前記ＰＤＧは、前記ＷＴＲＵの前記状態をＷＴＲＵ休止中へ更新し、
前記ＷＴＲＵは、その状態を休止中へ変える
ことを特徴とする請求項３に記載の方法。
【請求項７】
前記ＷＴＲＵは、Ｉ−ＷＬＡＮ  ＡＰと通信がなされないＷＴＲＵタイムアウトの時間期間の後、自動的にその状態を変えることを特徴とする請求項３に記載の方法。
【請求項８】
前記ＷＴＲＵが起動コマンドを受け取るとき、前記ＷＴＲＵは、前記ＷＴＲＵの状態がオンに変わることを示すメッセージを前記ＰＤＧへ送り、
前記ＰＤＧは、前記ＷＴＲＵの前記状態をＷＴＲＵオンへ更新し、
前記ＷＴＲＵは、その状態をオンへ変える
ことを特徴とする請求項３に記載の方法。
【請求項９】
前記ＷＴＲＵからの通信が前記ＰＤＧによって受け取られない望ましい期間後に、前記ＰＤＧは自動的に前記ＷＴＲＵの前記状態をＷＴＲＵオフに更新することを特徴とする請求項５に記載の方法。
【請求項１０】
３ＧＰＰシステムのＣＳＣＦから、前記３ＧＰＰシステムと相互作用するＩ−ＷＬＡＮと通信するＷＴＲＵへの、ＰＳサービスを使用して通信セッションを初期化する方法であって、
前記ＷＴＲＵの前記現在の状態を格納する、前記３ＧＰＰシステム内の構成要素を提供することと、
前記ＷＴＲＵとの接続のために、前記ＣＳＣＦから前記構成要素へ要求を送ることと、
前記構成要素によって、前記ＷＴＲＵの前記状態をチェックすることと、
前記ＷＴＲＵの前記格納された状態に基づいて、前記要求の処理を決定することと
を備えたことを特徴とする方法。
【請求項１１】
前記ＷＴＲＵの前記状態は、オン、オフ、および休止中のうちの１つであって、前記構成要素はそれぞれ、ＷＴＲＵオン、ＷＴＲＵオフ、ＷＴＲＵ休止中の対応する状態を格納することを特徴とする請求項１０に記載の方法。
【請求項１２】
前記ＷＴＲＵに電源が入ると、前記ＷＴＲＵは、前記ＷＴＲＵの状態がオンであることを示すメッセージを、前記構成要素へ送り、前記構成要素は、前記ＷＴＲＵの状態をＷＴＲＵオンとして更新することを特徴とする請求項１１に記載の方法。
【請求項１３】
前記チェックするステップは、前記ＷＴＲＵの前記状態がＷＴＲＵオンであることを示すことを含み、前記決定するステップは、前記要求を前記ＷＴＲＵへ転送することを含むことを特徴とする請求項１１に記載の方法。
【請求項１４】
前記チェックするステップは、前記ＷＴＲＵの前記状態がＷＴＲＵオフであることを示すことを含み、前記決定するステップは、前記要求を前記ＷＴＲＵへ転送することを含むことを特徴とする請求項１１に記載の方法。
【請求項１５】
前記チェックするステップは、前記ＷＴＲＵの前記状態がＷＴＲＵ休止中であることを示すことを含み、前記決定するステップは、前記要求を格納すること、および前記ＷＴＲＵが休止中であることを示す前記ＣＳＣＦへメッセージを送ることを含むことを特徴とする請求項１１に記載の方法。
【請求項１６】
前記構成要素は、以降、前記ＷＴＲＵから、前記ＷＴＲＵの状態がオンへ変わっていることを示すメッセージを受け取ると、前記構成要素は、前記ＷＴＲＵの前記状態をＷＴＲＵオンへ更新し、前記ＷＴＲＵへ前記格納された要求を転送することを特徴とする請求項１５に記載の方法。
【請求項１７】
前記構成要素は、前記ＷＴＲＵに保留メッセージを知らせるページングメカニズムを使用することを特徴とする請求項１５に記載の方法。
【請求項１８】
３ＧＰＰシステム用のＰＤＧであって、前記３ＧＰＰシステムは相互作用するＩ−ＷＬＡＮと通信するＷＴＲＵの現在の状態を保持し、前記ＰＤＧは、
前記ＷＴＲＵとのＩＰトンネルを確立する手段と、
前記ＷＴＲＵの状態を示すメッセージを、前記ＷＴＲＵから受け取る手段と、
前記ＷＴＲＵの状態を格納する手段と
を備えたことを特徴とする前記ＰＤＧ。
【請求項１９】
前記メッセージは、前記ＷＴＲＵの前記状態が、オン、オフ、および休止中のうちの１つであることを示し、前記ＰＤＧは、前記受け取った状態を格納することを特徴とする請求項１８に記載のＰＤＧ。
【請求項２０】
前記ＷＴＲＵからの前記最後の通信以来、前記経過時間を追跡する手段をさらに備え、これにより、前記ＰＤＧは、前記ＷＴＲＵからの通信が前記ＰＤＧによって受け取られない好ましい期間の後、前記ＷＴＲＵがオフと示すために、自動的に前記格納された状態を変えることを特徴とする請求項１９に記載のＰＤＧ。
【請求項２１】
前記ＧＰＰ内のＣＳＣＦと、３ＧＰＰネットワークと相互作用するＩ−ＷＬＡＮと通信するＷＴＲＵとの間の通信セッションを確立し保持するシステムであって、
前記３ＧＰＰネットワークへのＩＰトンネルを構築する手段と、
前記３ＧＰＰネットワークへ前記状態を報告する手段と、
を備えた前記ＷＴＲＵと、
前記ＷＴＲＵとの接続のために前記ＰＤＧへ要求を送るための、ＰＤＧと動作可能に関連付けられた前記ＣＳＣＦと、
前記ＷＴＲＵとのＩＰトンネルを確立する手段と、
前記ＷＴＲＵの前記状態を格納する手段と、
前記要求を受け取る手段と、
前記ＷＴＲＵの前記格納された状態をチェックする手段と、
前記ＷＴＲＵの前記格納された状態に基づいて、前記要求の処理を決定する手段と
を備えた前記ＰＤＧと
を備えたことを特徴とするシステム。
【請求項２２】
前記ＷＴＲＵの前記状態が、オン、オフ、休止中のうちの１つであり、前記ＰＤＧが前記対応する状態を格納することを特徴とする請求項２１に記載のシステム。
【請求項２３】
前記ＷＴＲＵの前記格納された状態が、前記ＷＴＲＵがオンであることを示す場合、前記ＰＤＧは、前記要求を転送することを特徴とする請求項２２に記載のシステム。
【請求項２４】
前記ＷＴＲＵの前記格納された状態が、前記ＷＴＲＵがオフであることを示す場合、前記ＰＤＧは、前記要求を転送しないことを特徴とする請求項２２に記載のシステム。
【請求項２５】
前記ＷＴＲＵの前記格納された状態が、前記ＷＴＲＵが休止中であることを示す場合、前記ＰＤＧは前記要求を格納し、前記ＰＤＧは、前記ＷＴＲＵが休止中であることを示すメッセージを前記ＣＳＣＦへ送ることを特徴とする請求項２２に記載のシステム。
【請求項２６】
前記ＷＴＲＵの前記状態が休止中からオンに変わる場合に、前記ＰＤＧは前記要求を転送することを特徴とする請求項２５に記載のシステム。
【請求項２７】
前記ＰＤＧは、前記ＷＴＲＵに保留メッセージを知らせるページング手段をさらに備えたことを特徴とする請求項２５に記載のシステム。
【発明の詳細な説明】
【技術分野】
【０００１】
本発明は、３ＧＰＰシステムと相互作用する無線ローカルエリアネットワークに関する。さらに詳しくは、本発明は、３ＧＰＰシステムと相互作用する無線ローカルエリアネットワーク（ＷＬＡＮ）内のエンティティに対する、３ＧＰＰネットワーク内のエンティティによって初期化されるリアルタイムサービスの信頼性を改善するための方法およびシステムに関する。
【背景技術】
【０００２】
無線ローカルエリアネットワーク（ＷＬＡＮ）および他の無線通信システムは、それらの利便性と柔軟性のために一般化してきた。これらのシステムの展開と使用が増加するにつれて、標準規格を構築するために多くの研究がなされてきて、これによって様々なシステムが相互作用できる。標準化されている１つの新しい無線通信システムは、３ＧＰＰ（the Third Generation Partnership Project）と呼ばれる。ＷＬＡＮが３ＧＰＰシステムと相互作用するために（このようなシステムは、Ｉ−ＷＬＡＮとしても知られている）、複数の異なるシナリオの下で動作可能であり、様々なサービスをサポート可能でなければならない。
【０００３】
ＷＬＡＮシステムの３ＧＰＰ通信システムとの相互作用におけるほとんどの従来技術は、ＷＴＲＵユーザが加入者である３ＧＰＰネットワークへアクセスするために、ＷＬＡＮ上で動作する無線送受信ユニット（ＷＴＲＵ）を可能にすることに関する。接続はＷＬＡＮアクセスゲートウェイＷＡＧ(WLAN Access Gateway)介して、パケットデータゲートウェイＰＤＧ（Packet data gateway）へ構築され、その両方共、３ＧＰＰネットワークの一部である。接続が構築されると、Ｉ−ＷＬＡＮ上のＷＴＲＵは、パケット交換（ＰＳ）サービスを含む、３ＧＰＰシステム上のサービスにアクセスできる。
【０００４】
しかし、なされたほとんどの作用は、ＷＴＲＵにアクセスすることを望むかもしれない３ＧＰＰシステム上のユーザへ十分な配慮を与えることなしに、３ＧＰＰシステム上のリソースのＷＴＲＵによるアクセスを容易にしてきた。たとえば、ＶｏＩＰ（Voice over Internet Protocol）は、Ｕ−ＷＬＡＮ  ＷＴＲＵがＳＩＰ(Session Initiation Protocol)を使用してサポートできるサービスの１つである。このように、Ｉ−ＷＬＡＮ上のＷＴＲＵは、３ＧＰＰ接続を構築でき、ＶｏＩＰコールを３ＧＰＰシステム上のデバイスへ申し込むことができる。しかし、３ＧＰＰデバイスは、３ＧＰＰシステムへ結合されているにも関わらず、ＷＴＲＵへコールを簡単に申し込むことができない。現在の３ＧＰＰの仕様書は、ＷＴＲＵに関して３ＧＰＰシステムへ提供される情報は少ししかなく、ＷＬＡＮをブラックボックスとして扱っている。利用できる情報は、ＷＴＲＵが、特定のサービスを受け取るために、３ＧＰＰネットワークのＰＤＧへの必要なトンネルを構築したかどうかだけである。
【０００５】
ＰＤＧは、ＷＴＲＵの状態に関して、他の情報へのアクセスを有していない。それは、オンかどうか、休止モードかどうか、オフまたはＩ−ＷＬＡＮから切断されているかどうかなどである。これは、ＷＴＲＵと通信しようとする３ＧＰＰネットワーク上のユーザにとって、否定的な結果を有する。
【０００６】
たとえば、ＷＴＲＵへの終了したＶｏＩＰ（ＳＩＰ）コールの場合、３ＧＰＰシステム上のＷＴＲＵは、ＳＩＰ招待（ＳＩＰ＿ＩＮＶＩＴＥ）メッセージを、Ｉ−ＷＬＡＮ上のＷＴＲＵへ送る。３ＧＰＰシステム上のプロキシコール状態制御機能Ｐ−ＣＳＣＦ(Proxy Call State Control Function)は、Ｉ−ＷＬＡＮ上で動作するＷＴＲＵへルーティングするために、ＰＤＧへＳＩＰ招待メッセージを転送する。ＷＴＲＵが休止状態の場合、このメッセージは、Ｉ−ＷＬＡＮのアクセスポイントＡＰ（Access Point）において遅延することになり、ＷＴＲＵが起動するときに伝達されることになる。ＳＩＰ招待メッセージの伝達における遅延が十分長い場合、Ｐ−ＣＳＣＦからの進行レポートを送信側に返すことなしに、ＷＴＲＵは送信側によって「応答なし／利用不可」として理解され、コールは除去される。
【発明の開示】
【発明が解決しようとする課題】
【０００７】
したがって、ＰＤＧへ、またはＷＴＲＵへパケットデータをルーティングに関与する３ＧＰＰネットワーク上の任意の構成要素へ、ＷＴＲＵの状態に関して情報を提供する必要がある。
【課題を解決するための手段】
【０００８】
本発明は、ＷＴＲＵ状態を提供するための方法とシステムに関し、３ＧＰＰシステムと相互作用する無線ＬＡＮを介してリアルタイムサービスを提供することに関する。ＷＴＲＵは、その状態の各変化を、ＰＤＧまたは３ＧＰＰネットワーク内の他のデバイスへ信号送信する。ＰＤＧは、ＷＴＲＵの現在の状態を格納および保持し、状態が変化するとき、ＷＴＲＵの状態を更新する。ＰＤＧがＷＴＲＵへ向けられる３ＧＰＰシステム上のデバイスからメッセージを受け取ると、ＰＤＧは、ＷＴＲＵへメッセージを転送する前に、ＷＴＲＵの状態を検査する。ＷＴＲＵが休止状態の場合、メッセージは格納され、ＷＴＲＵが起動するときに、伝達されるべきである。ページングメカニズムは、保留メッセージをＷＴＲＵへ知らせるために使用されてもよい。
【０００９】
本発明は、図面を考慮に入れることにより理解されるだろう。そして、ここでは、似ている要素は、似ている数字によって指定される。
【発明を実施するための最良の形態】
【００１０】
以降、ＷＴＲＵは、固定または移動加入者ユニット、ページャー、または３ＧＰＰネットワークと相互作用するＩ−ＷＬＡＮで動作可能な他の任意の種類のデバイスを含むが、これらに限られない。以降、ユーザ装置（ＵＥ）は、モバイル局、固定または移動加入者ユニット、ページャー、またはＩ−ＷＬＡＮと相互作用する３ＧＰＰネットワークで動作可能な他の任意の種類のデバイスを含むが、これらに限られない。以降、アクセスポイント（ＡＰ）は、ノードＢ、サイトコントローラ、基地局、または他の任意の種類のＷＬＡＮ環境におけるインタフェースデバイスを含むが、それらに限られない。
【００１１】
図１は、第１のＩ−ＷＬＡＮアクセスネットワーク（ＡＮ）（１２）によって供給されるエリアから、第２のＩ−ＷＬＡＮアクセスネットワーク（ＡＮ）（１４）によって供給されるエリアへ移動するＷＴＲＵ１０を示す。ＷＴＲＵ（１０）は、Ｉ−ＷＬＡＮ  ＡＮを通して３ＧＰＰネットワークからＰＳサービスへアクセスすることができる。ユーザは通常、彼が加入者である彼自身の３ＧＰＰホームネットワーク（１６）へ最終的に接続することを望む。第１のＩ−ＷＬＡＮ（１２）は、３ＧＰＰホームネットワーク（１６）とのローミング契約によって結びつけられ、ＷＴＲＵ（１０）は、第１のＩ−ＷＬＡＮ（１４）を通して３ＧＰＰホームネットワーク（１６）へ接続できる。第２のＩ−ＷＬＡＮ（１２）は、ユーザの３ＧＰＰホームネットワークと結びつけられないが、３ＧＰＰの訪問先ネットワーク（１８）を通してユーザのホームネットワークから３ＧＰＰ  ＰＳサービスを提供できる。ＡＡＡ(Authentication, authorization and Accounting)は、当業者によく知られるメカニズムを介して、ＡＡＡサーバ（図示されていない）によって提供される。
【００１２】
図２Ａは、Ｉ−ＷＬＡＮ  ＡＮ１２を通り、３ＧＰＰネットワーク２０を通ってそこへ位置づけられたＣＳＣＦ２６への、ＷＴＲＵ１０とのＰＳ接続を示す。３ＧＰＰネットワーク２０は、ホームネットワーク、またはホームネットワークと訪問先ネットワークとの結合であることができる。Ｐ−ＣＳＣＦを含むＷＡＧ２２およびＰＤＧ２４は、３ＧＰＰネットワーク２０に示されている。ＡＰ２８はＩ−ＷＬＡＮに示されている。ＷＴＲＵ１０は、ＡＰ２８、ＷＡＧ２２、およびＰＤＧ２４を介して３ＧＰＰネットワーク２０への接続を確立する。３ＧＰＰネットワーク２０およびＷＴＲＵ１０の間へ向けられるすべてのパケットデータは、３ＧＰＰネットワーク２０内のＰＤＧ２４およびＷＡＧ２２、ならびにＩ−ＷＬＡＮ１２内のＡＰ２８を介して送信される。
【００１３】
ＷＡＧ２２は、チャージ情報(charging information)を作成し、アカウンティング(accounting)的でそれをＡＡＡサーバへ転送し、ＰＤＧ２４を通してパケットのルーティングを実施する。ＰＤＧ２４は、ＷＴＲＵ１０のためのルーティング情報を保持および更新し、アドレス変換およびマッピングを実行した後、そこへ向けられたパケットデータをルーティングする。本発明によるとＰＤＧ２４もまた、ＷＴＲＵ１０の状態を格納および保持し、ＷＴＲＵ１０の状態をそれが変わるたびに更新する。第１の実施形態でのＷＴＲＵ１０の状態が、ＰＤＧ２４にて格納および保持されているにもかかわらず、ＷＴＲＵ１０の状態は、第２の実施形態の図２Ｂで示されるように、ＡＡＡサーバ２５などの別の場所に格納および保持されうる。
【００１４】
ＷＴＲＵ１０の状態に関する通信は、ＷＴＲＵ１０とＰＤＧ２４の間で、インターネットプロトコル（ＩＰ）によってなどの信号伝達を介して送信される。ＡＰ２８は、エアインタフェース(air interface)を介して、ＷＴＲＵ１０などの無線デバイスと通信し、無線ネットワークへ接続する。ＷＡＧ２２、ＰＤＧ２４、およびＡＰ２８によって実行される多くの他の機能があり、これらは、当業者によってよく知られているが、この発明には関係がない。したがって、これらの機能は、本書では詳細に説明されない。
【００１５】
図３を参照し、本発明によってＰＤＧ２４にて保持されるＷＴＲＵ１０の状態の状態遷移図３０が示される。状態遷移図３０は、以下に定義される３つのＷＴＲＵ状態を示す。
１．ＷＴＲＵオン（３２）−ＷＴＲＵの電源が入れられ、Ｉ−ＷＬＡＮ内のＡＰへ付属され、３ＧＰＰネットワーク内のＰＤＧへのＩＰトンネリングを構築した。
２．ＷＴＲＵ休止中（３４）−ＷＴＲＵの電源は入っているが、休止モードに入った。Ｉ−ＷＬＡＮとのトンネリングはまだオンである。
３．ＷＴＲＵオフ（３６）−ＷＴＲＵは現在電源が入っていないか、またはＡＰから分離されている、あるいは、３ＧＰＰ  ＰＤＧへのＩＰトンネリングは、単に停止された。
【００１６】
図３において３つの状態しか説明されていないが、本発明はこれら３つの状態に限られないことに留意されたい。当業者は、将来的に他の状態が追加されうることに気がつくべきである。ＷＴＲＵ１０の状態が、３ＧＰＰネットワークに格納および保持されることのみが重要である。
【００１７】
その状態をＰＤＧ２４へアップデートするために、アップデートメッセージの送信をトリガするＷＴＲＵ１０に関する内部イベントは、以下のように、図３にも示される。
１．ＷＴＲＵ付属（３１）−ＷＴＲＵが、オンであり、ＡＰ２８に接続され、３ＧＰＰネットワーク２０上のＰＤＧ２４へのＩＰトンネリングをちょうど確立したところである。ＰＤＧ２４は、ＷＴＲＵオン（３２）の初期値と共に、ＷＴＲＵの状態を格納する。
２．ＷＴＲＵ分離（３３）−ＷＴＲＵ１０は、たとえばユーザコマンドに応答して、ＡＰ２８から切断しようとするところであるか、または単にＰＤＧ２４へのＩＰトンネリングを停止しようとするところである。ＷＴＲＵ１０は、その差し迫った動作を示すメッセージをＰＤＧ２４へ送り、ＰＤＧ２４に格納されたＷＴＲＵ１０の状態はＰＤＧ２４によってＷＴＲＵオフ３６に更新される。
３．ＷＴＲＵ電源ダウン（３９）−ＷＴＲＵ１０は、ユーザコマンドに応答して、たとえば電源ダウンしようとしている。ＷＴＲＵは、その差し迫った動作を示すメッセージをＰＤＧ２４へ送り、ＰＤＧ２４に格納されたＷＴＲＵ１０の状態は、ＰＤＧ２４によってＷＴＲＵオフ３６に更新される。
４．ＷＴＲＵ休止（３５）−ＷＴＲＵ１０は、ユーザコマンドへの応答かまたはタイムアウト（つまり、ＷＴＲＵ１０とＡＰ２８間の通信しない最大許容時間が超えた）によってのいずれかで、休止モードに入ろうとしているが、ＷＴＲＵ１０は、ＰＤＧ２４へのＩＰトンネリングにまだ結び付けられているだろう。ＷＴＲＵ１０は、その差し迫った動作を示すメッセージをＰＤＧ２４へ送り、ＰＤＧ２４に格納されたＷＴＲＵ１０の状態は、ＰＤＧによってＷＴＲＵ休止中３４に更新される。
５．ＷＴＲＵ起動（３７）−ＷＴＲＵ１０は、ちょうど休止モードを終了し、そしてＡＰ２８とアクティブに通信していて、ＰＤＧ２４へのＩＰトンネリングはまだアクティブである。ＷＴＲＵ１０は、ＰＤＧ２４へその動作を示すメッセージを送り、ＰＤＧ２４に格納されたＷＴＲＵ１０の状態は、ＰＤＧ２４によって、ＷＴＲＵオン３２へ更新される。
【００１８】
ＷＴＲＵ１０の内部でないが、ＰＤＧ２４の内部である１つのイベントもまた、ＰＤＧ２４においてＷＴＲＵ１０の状態の更新をトリガできる。
６．タイムアウト（３８）−ＰＤＧ２４内のタイマーによって示されるように、ＷＴＲＵ１０からの通信がない最大許容時間が越えた。ＰＤＧ２４に格納されたＷＴＲＵ１０の状態は、ＰＤＧ２４によって、ＷＴＲＵオフ３６へ更新される。
【００１９】
ＰＤＧ２４が結び付けられた３ＧＰＰネットワーク２０からＷＴＲＵ１０へのトラフィックが終了した場合に、ＰＤＧ２４は、トラフィックをＷＴＲＵ１０へ伝達することを試みる前に、ＷＴＲＵ１０の状態を検査する。ＷＴＲＵ１０がＷＴＲＵ休止中３４状態にある場合、トラフィックはＰＤＧ２４によって格納され、ＷＴＲＵ１０の状態がＷＴＲＵオン３２へ変わるときに伝達される。ＰＤＧ２４もまた、トラフィックを組織したデバイスへメッセージ５２を送り、それはＷＴＲＵ１０が休止中であることを示す。第２の実施形態において、ＰＤＧ２４もまた、ＷＴＲＵ１０へトラフィック保留を知らせるページングメカニズムを使用できる。
【００２０】
図４は、ＶｏＩＰコールをＩ−ＷＬＡＮ  ＡＮ上のＷＴＲＵ１０へ申し込むことを試みる、３ＧＰＰシステム２０上のＣＳＣＦ２６を示し、ここでＷＴＲＵ１０は、本発明の利益なしに、ＷＴＲＵ休止中３４状態にいる。この場合、ＷＴＲＵ１０は３ＧＰＰシステム上のＰＤＧ２４への構築されたトンネルを有し、ＷＴＲＵ１０はＷＴＲＵ休止中３４状態にあると推定される。３ＧＰＰネットワーク２０は、トンネルに気づくが、ＷＴＲＵ１０の状態に関する情報を有さない。ＣＳＣＦ２６は、ＰＤＧ２４内のプロキシコール状態制御機能（Ｐ−ＣＳＣＦ）を介して、ＳＩＰ招待(INVITE)メッセージ４０をＷＴＲＵ１０へ送る。ＰＤＧ２４内のＰ−ＣＳＣＦは、ＷＴＲＵ１０へルーティングするために、ＰＤＧ２４へＳＩＰ招待メッセージ４０を転送し、ＰＤＧ２４は、それをＷＡＧ２２へ、そこからＷＬＡＮ１０が関連付けられているＩ−ＷＬＡＮ  ＡＮ１２内のＡＰ２８へ転送する。ＷＴＲＵ１０はＷＴＲＵ休止中３４状態なので、ＷＴＲＵ１０が起動するまでメッセージはＡＰ２８にて格納される。ＳＩＰ招待メッセージ４０を伝達する際の遅延は、送信者へ戻されるＰ−ＣＳＣＦからの進行報告なしで、送信者によってＷＴＲＵ「応答なし／利用不可」として解釈され、コールは除去される。
【００２１】
図５は、３ＧＰＰシステム２０上のＣＳＣＦ２６がＶｏＩＰコールをＩ−ＷＬＡＮ  ＡＮ上のＷＴＲＵ１０へ申し込むことを試みるのと同様のシナリオを示し、ここでＷＴＲＵ１０は、ＷＴＲＵ休止中３４状態であり、ここで本発明は使用される。この場合、ＷＴＲＵ１０は３ＧＰＰシステム上のＰＤＧ２４へのもう一度構築されたトンネルを有し、ＷＴＲＵ１０はＷＴＲＵ休止中３４状態に入ろうとしていると推定される。ＷＴＲＵ１０は、ＷＴＲＵ休止メッセージ５０をＡＰ２８へ送り、これはメッセージ５０を、ＷＡＧ２２を介してＰＤＧ２４へ転送する。
【００２２】
ＷＴＲＵ休止メッセージ５０を受け取ると、ＰＤＧ２４は、ＷＴＲＵ１０の格納された状態をＷＴＲＵ休止中３４へ変更する。３ＧＰＰネットワーク２０は、現在トンネルに気付いていて、ＷＴＲＵ１０の状態に関する情報を有してもいる。したがって、ＣＳＣＦ２６がＰＤＧ２４内のＰ−ＣＳＣＦを介してＷＴＲＵ１０へＳＩＰ招待メッセージ４０を送る場合、Ｐ−ＣＳＣＦは、ＷＴＲＵ１０へルーティングするためにＰＤＧ２４へＳＩＰ招待メッセージ４０を転送し、ＰＤＧ２４は、ＷＴＲＵ１０へＳＩＰ招待メッセージ４０を転送しようとする前にＷＴＲＵ１０の状態をチェックする。ＷＰＤＧ２４にて格納されているＷＴＲＵ１０の状態は、ＷＴＲＵ休止中３４メッセージ状態なので、このメッセージは転送されない。ＰＤＧ２４は、ＷＴＲＵ１０がＷＴＲＵ休止中３４状態であることを示すメッセージ５２をＣＳＣＦ２６へ送り、ＳＩＰ招待メッセージ４０は、ＷＴＲＵが起動するまでＰＤＧ２４にて格納される。ＣＳＣＦ２６は、ＷＴＲＵ１０が起動するまで待つかどうか決定することができ、そうである場合、コールは除去されないだろう。ＰＤＧ２４は、保留メッセージをＷＴＲＵ１０へ知らせるために、ページングの様なメカニズムを使用できる。
【００２３】
図６は、３ＧＰＰシステム２０上のＣＳＣＦ２６がＶｏＩＰコールをＩ−ＷＬＡＮ  ＡＮ１２上のＷＴＲＵ１０へ申し込むことを示し、ここでＷＴＲＵ１０は、ＷＴＲＵ休止中３４状態で起動していて、ここで本発明は使用される。この場合、ＷＴＲＵ１０は、３ＧＰＰシステム上にＰＤＧ２４へのアクティブトンネルを有し、ＷＴＲＵ休止中３４状態にある。ＷＴＲＵが起動するとき、ＷＴＲＵは、ＡＰ２８およびＷＡＧ２２を介して、ＰＤＧ２４へ、ＷＴＲＵ起動メッセージ６０を送る。ＰＤＧ２４は、ＷＴＲＵ起動メッセージ６０を受け取り、格納されているＷＴＲＵの状態をＷＴＲＵオン３２状態に変える。３ＧＰＰネットワーク２０は、現在トンネルに気付いていて、ＷＴＲＵ１０のＷＴＲＵオン３２状態に関する情報も有している。
【００２４】
ＣＳＣＦ２６は、ＰＤＧ２４内のＰ−ＣＳＣＦを介してＷＴＲＵ１０へＳＩＰ招待メッセージ４０を送る。Ｐ−ＣＳＣＦは、ＷＴＲＵ１０をルーティングするためにＰＤＧ２４へＳＩＰ招待メッセージ４０を転送し、ＰＤＧ２４は、ＳＩＰ招待メッセージ４０のＷＴＲＵ１０への転送を試みる前に、ＷＴＲＵ１０の状態をチェックする。ＰＤＧに格納されたＷＴＲＵ１０の状態はＷＴＲＵオン３２状態であるので、ＳＩＰ招待メッセージ４０は転送される。ＳＩＰ招待メッセージ４０は、ＷＡＧ２２およびＡＰ２８を通って、ＷＴＲＵ１０へ渡される。ＷＴＲＵ１０は、ＳＩＰ承認メッセージ６２をＣＳＣＦ２６へ送ることによって応答し、これはＡＰ２８、ＷＡＧ２２、およびＰＤＧ２４を通してＣＳＣＦ２６転送されＶｏＩＰセッションはこれによって確立される。
【００２５】
本発明の特徴および要素は、ＶｏＩＰ、３ＧＰＰ、ＰＤＧ、およびＡＡＡサーバを使用する特定の組合せにおいて、好適な実施形態で説明されているが、各特徴または要素は、好適な実施形態の他の特徴および要素なしで単独でも使用でき、または本発明の他の特徴および要素と共にあるいはそれらなしの様々な組合せで使用することができ、他の通信サービス、規格、デバイスを使用する。
【図面の簡単な説明】
【００２６】
【図１】ＷＴＲＵのホーム３ＧＰＰネットワーク関連するＩ−ＷＬＡＮアクセスネットワーク（ＡＮ）から、訪問先ネットワークと呼ばれる異なる３ＧＰＰに関連する異なるＩ−ＷＬＡＮ  ＡＮへのＷＴＲＵ移動を示す図である。
【図２Ａ】Ｉ−ＷＬＡＮ  ＡＮ内のＷＴＲＵ間の接続、および３ＧＰＰホームネットワーク内の加入者サービスを提供するＣＳＣＦの図である。
【図２Ｂ】Ｉ−ＷＬＡＮ  ＡＮ内のＷＴＲＵ間の接続、および３ＧＰＰホームネットワーク内の加入者サービスを提供するＣＳＣＦの図である。
【図３】格納されたＷＴＲＵの異なる状態、および格納された状態の変化を指示する処理の図である。
【図４】ＷＴＲＵが休止中状態でコールが除去された、３ＧＰＰネットワーク内のＣＳＣＦからＩ−ＷＬＡＮ内のＷＴＲＵへの、試されたＶｏＩＰコールのタイミング図である。
【図５】３ＧＰＰネットワーク内のユーザがＷＴＲＵへのＴｏＩＰコールを試み、ＷＴＲＵの状態を知らされた後、オンから休止中へその状態を更新するＩ−ＷＬＡＮ内のＷＴＲＵのタイミング図である。
【図６】ＣＳＣＦがＷＴＲＵへのＶｏＩＰを完了した後、ＷＴＲＵが休止中から起動し、ＰＤＧがＷＴＲＵ状態をＷＴＲＵオンへ更新するタイミング図である。
【図１】
2008502214.tif 000003
【図２Ａ】
2008502214.tif 000004
【図２Ｂ】
2008502214.tif 000005
【図３】
2008502214.tif 000006
【図４】
2008502214.tif 000007
【図５】
2008502214.tif 000008
【図６】
2008502214.tif 000009
【国際調査報告】
2008502214.tif 000010